(57)【要約】【課題】  肩掛けベルトが使用中にランドセルの重量により肩からずれず、ランドセルの背当て部が使用者の背中に密着して、ランドセルの重心が使用者の背中から離れず、重く感じることがなく、しかも使用感の良いランドセルを提供する。【解決手段】  ランドセル本体２の背当て部３の上部に設けた取付具４に、一対の肩掛けベルト１の上端部をランドセル本体２から上方に向いた状態で取り付け、ランドセル本体２の底部に設けた取付具に肩掛けベルト１の下端部を取り付けるようにしたものとしている。さらに、ランドセル本体２の背当て部３の上部に設けた取付具４の左右一対の連結体７の上端部に、一対の肩掛けベルト１の上端部をランドセル本体２から上方に向いた状態で取り付け、ランドセル本体２の底部に設けた取付具に肩掛けベルト１の下端部を取り付けるようにしたものとすることができる。【選択図】    図５
0003106687.tif 000002
【実用新案登録請求の範囲】
【請求項１】
ランドセル本体（２）の背当て部（３）の上部に設けた取付具（４）に、一対の肩掛けベルト（１）の上端部をランドセル本体（２）から上方に向いた状態で取り付け、ランドセル本体（２）の底部に設けた取付具に肩掛けベルト（１）の下端部を取り付けるようにしたことを特徴とするランドセル。
【請求項２】
ランドセル本体（２）の背当て部（３）の上部に設けた取付具（４）の左右一対の連結体（７）の上端部に、一対の肩掛けベルト（１）の上端部をランドセル本体（２）から上方に向いた状態で取り付け、ランドセル本体（２）の底部に設けた取付具に肩掛けベルト（１）の下端部を取り付けるようにしたことを特徴とするランドセル。
【請求項３】
前記連結体（７）を背当て部（３）にそれぞれ左右方向に揺動自在に取り付けると共に、連結体（７）にそれぞれ内方向の弾力を付したことを特徴とする請求項２記載のランドセル。
【考案の詳細な説明】
【技術分野】
【０００１】
この考案は、ランドセル本体の肩掛けベルトおよびその取付具を改良したランドセルに関するものである。
【背景技術】
【０００２】
従来のランドセルの取付具としては、図１０に示したように、金属板を二つ折りにした連結体３１の折り曲げ部の略中央部を分断して二つの挿通部３２、３２を設け、それぞれの挿通部３２、３２の下方に止め孔３３、３３を設けると共に、前記挿通部３２、３２の互いに向き合う端部側に形成される空間部３４に略Ω形状の吊下環３５の脚部を回動自在に取り付け、さらにこれら挿通部３２、３２の両端にそれぞれ略三角形状の連結環３７、３７を回動自在に取り付けたものが存在する。
【０００３】
このように構成されたランドセルの取付具は、図１１に示したように、ランドセル本体４１の背当て部４２の最上段または最上段から少し下げた位置に連結体３１を取り付け、連結環３７、３７にそれぞれ肩掛けベルト４３、４３の上端を取り付けていた。
【０００４】
前記肩掛けベルト４３は、厚手の皮革や合成樹脂地等からなる上層体と、発泡合成樹脂体に薄手の皮革や合成樹脂地等を巻き付けてなる下層体より構成され、これらを重ね合わせて両側部を縫着したものとしている。
【考案の開示】
【考案が解決しようとする課題】
【０００５】
しかしながら、上記従来のランドセルでは、図１２に示したように、連結体３１の挿通部３２、３２の両端に取り付けられた連結環３７、３７が使用者の背中方向に回動し、連結環３７、３７に取り付けた肩掛けベルト４３、４３が、使用中にランドセルの重量により次第に肩からずれて、使用者の背中から離れて後方へ傾いてしまう。そのため、ランドセルの重心が使用者の背中から離れ、ランドセルが背負い難くなると共に重く感じるという課題を有していた。
【０００６】
さらに、上記従来のランドセルでは、肩掛けベルト４３が上記したような構成であるため、張りがなく柔らかいので、使用中に使用者の肩からずれ易くなり、ランドセルが背負い難くなると共に重く感じるという上記課題を助長することになっていた。
【０００７】
また、上記従来のランドセルでは、使用者の背中から離れて後方へ傾いてしまうため、ランドセル本体４１の背当て部４２の下端部が使用者の背中に当たって、使用者が痛みを感じたりし、使用感が悪いという課題を有していた。
【０００８】
そこで、この考案は、上記従来の課題を解決するものであり、肩掛けベルトが使用中にランドセルの重量により肩からずれず、ランドセルの背当て部が使用者の背中に密着して、ランドセルの重心が使用者の背中から離れず、重く感じることがなく、しかも使用感が良いランドセルを提供することを目的としてなされたものである。
【課題を解決するための手段】
【０００９】
この考案のランドセルは、ランドセル本体２の背当て部３の上部に設けた取付具４に、一対の肩掛けベルト１の上端部をランドセル本体２から上方に向いた状態で取り付け、ランドセル本体２の底部に設けた取付具に肩掛けベルト１の下端部を取り付けるようにしたものとしている。
【００１０】
さらに、この考案のランドセルは、ランドセル本体２の背当て部３の上部に設けた取付具４の左右一対の連結体７の上端部に、一対の肩掛けベルト１の上端部をランドセル本体２から上方に向いた状態で取り付け、ランドセル本体２の底部に設けた取付具に肩掛けベルト１の下端部を取り付けるようにしたものとすることができる。
【００１１】
また、この考案のランドセルは、前記連結体７を背当て部３にそれぞれ左右方向に揺動自在に取り付けると共に、連結体７にそれぞれ内方向の弾力を付したものとすることができる。
【考案の効果】
【００１２】
この考案のランドセルは、以上に述べたように構成されているので、肩掛けベルトが使用中にランドセルの重量により肩からずれず、ランドセルの背当て部が使用者の背中に密着して、ランドセルの重心が使用者の背中から離れず、重く感じることがなく、しかも使用感が良いものとなった。
【考案を実施するための最良の形態】
【００１３】
以下、この考案の好適な実施形態を、図面を参照して説明する。
【００１４】
図１は、この考案のランドセルを背当て部側から見た斜視図を示している。１は一対の肩掛けベルトであり、これら肩掛けベルト１の上端部は、ランドセル本体２の背当て部３の上部に設けた取付具４に取り付けられている。また、肩掛けベルト１の下端部は、ランドセル本体２の底部に設けた取付具（図示せず）に取り付けられている。なお、背当て部３の上部とは、背当て部３の最上端または最上端から少し下げた位置のことをいう。
【００１５】
前記肩掛けベルト１は、図２〜４に示したような弾性合成樹脂板や弾性金属板、弾性線材などの弾性部材５を、上端部に挟み込んだり、上端部の裏表面に沿わせたりすることにより、取付部寄りに保持したものとしている。そして、前記肩掛けベルト１は、この肩掛けベルト１の取付部（上端部）がランドセル本体２から上方に向いた状態で前記取付具４に取り付けられている。前記肩掛けベルト１は、図５、６に示したものでは、厚手の皮革や合成樹脂地等からなる上層体６ａと、発泡合成樹脂体に薄手の皮革や合成樹脂地等を巻き付けてなる下層体６ｂより構成され、これら上層体６ａと下層体６ｂの間に弾性合成樹脂板よりなる弾性部材５の挿入部５ａを差し込むと共に、その挿入部５ａの基端を折り返して形成した折返し部５ｂを下層体６ｂの外面に添わせ、重なり合ったこれら上層体６ａ、下層体６ｂ、挿入部５ａおよび折返し部５ｂの両側部を縫着したものとしている。なお、弾性部材５の挿入部５ａは、使用者が肩掛けベルト１を肩に掛けたときに肩に添って曲がり得る長さとしており、図示したものでは約６ｃｍ程度としているが、必要に応じてこれより長くしても短くしてもよい。また、弾性部材５の折返し部５ｂは、後に述べる取付具４の連結体７の挿入孔８ａに肩掛けベルト１の上端を挿入した場合、この挿入孔８ａから少し食み出て、肩掛けベルト１の下層体６ｂが連結体７に直接当たらないようにして、この下層体６ｂが傷つかないようにしており、図示したものでは約２ｃｍ程度としているが、必要に応じてこれより長くしても短くしてもよい。さらに、弾性部材５の基端部には、上層体６ａの先端および下層体６ｂの先端の被覆部５ｃを設け、肩掛けベルト１の上端を前記挿入孔８ａに挿入するときに、上層体６ａおよび下層体６ｂの先端がほつれて引っ掛かったりすることなく、この挿入孔８ａに入り易いようにしている。
【００１６】
前記取付具４は、図７、８に示したように、左右一対の連結体７の上部にそれぞれ挿入孔８ａを有した挿入部８を一体的に形成したものとしている。そして、これら挿入孔８ａに前記肩掛けベルト１の上端をそれぞれ挿入して、挿入部８に設けたリベット孔９にリベット１０を通して、リベット止めしたものとしている。さらに、この取付具４は、左右一対の連結体７の対向側面にそれぞれ歯部７ａを設け、これら歯部７ａを互いに噛み合わせて連結体７を背当て部３にそれぞれ左右方向に揺動自在に取り付けると共に、連結体７にそれぞれ内方向の弾力を付したものとしている。なお、前記挿入部８は、連結体７の上方向に設けておれば特に限定されるものではないが、真上とするよりランドセル本体２の背当て部３から肩掛けベルト１に約１０〜３０°傾けたものとするのが好ましい。
【００１７】
図に示した実施の形態では、前記連結体７を背当て部３に左右方向に揺動自在に取り付けるには、連結体７を上下被覆板１１ａ、１１ｂの間に挟み込み、連結体７に形成した摺動孔１２に下被覆板１１ｂに設けた摺動体１３を入り込ませ、連結体７の下端に設けた軸孔１４に下被覆板１１ｂに設けた止体１５を軸支している。さらに、前記連結体７の内方向の弾力を付すには、それぞれの連結体７の外側面７ｂを内方向に押し付けるバネ１６を上下被覆板１１ａ、１１ｂの間に取り付けている。このバネ１６は、略Ｕ字状としており、外体１６ａは下被覆板１１ｂに設けた支持部１７および支持体１８に支持され、内体１６ｂは連結体７の外側面７ｂに当接するようにしている。なお、１９は上被覆板１１ａの上に当生地２０（図１参照）を押さえ付けておくための押板である。２１は不使用時にランドセルを吊り下げておくための吊下環であり、下被覆板１１ｂの上端中央部に取り付けられている。
【００１８】
そして、前記取付具４は、押板１９に設けられたリベット孔２２から上被覆板１１ａに設けられたリベット孔２３にリベット２４を貫通させ、さらにこのリベット２４を下被覆板１１ｂに設けられたリベット孔２５を貫通させて、ランドセル本体２の背当て部３の裏側に取り付けられる止板（図示せず）にリベット止めしている。
【００１９】
以上のように構成したこの考案のランドセルは、図１、５に示したように、取付具４の連結体７に取り付けられた肩掛けベルト１の取付部がランドセル本体２から上方に向いた状態となっている。そのため、使用者がランドセルを背負った場合には、図９に示したように、ランドセル本体２が常に斜め上方に引っ張られた状態となる。しかも、肩掛けベルト１の取付部寄りには弾性部材５が保持されているので、肩掛けベルト１が使用者の肩に添うように曲がる。
【００２０】
したがって、このような状態で、この考案のランドセルを背負うと、ランドセル本体２の背当て部３が使用者の背中に密着した状態に保たれることになる。
【００２１】
さらに、この考案のランドセルは、ランドセル本体２の背当て部３の上部での肩掛けベルト１の位置を、連結体７の揺動幅内において、使用者の体格に応じて左右方向に移動することができると共に、連結体７に付される内方向の弾力によって、その体格に応じた位置に維持しておける。
【００２２】
したがって、この考案のランドセルは、肩掛けベルト１の位置を使用者の体格に応じたものとすることができると共に、使用者の肩に密着させた状態にしておくことができる。
【図面の簡単な説明】
【００２３】
【図１】この考案のランドセルを背当て部側から見た状態を示す斜視図である。
【図２】この考案のランドセルの肩掛けベルトに保持する弾性部材の一例を示す斜視図である。
【図３】この考案のランドセルの肩掛けベルトに保持する弾性部材の他の例を示す斜視図である。
【図４】この考案のランドセルの肩掛けベルトに保持する弾性部材のさらに他の例を示す斜視図である。
【図５】この考案のランドセルの肩掛けベルトの上端部を取付具の連結体に取り付けた状態を示す断面図である。
【図６】この考案のランドセルの肩掛けベルトの上端部付近の斜視図である。
【図７】この考案のランドセルの取付具の上被覆板を外した状態を示す斜視図である。
【図８】この考案のランドセルの取付具の分解斜視図である。
【図９】この考案のランドセルを背負った状態を示す説明図である。
【図１０】従来のランドセルの取付具の斜視図である。
【図１１】従来のランドセルを背当て部側から見た状態を示す部分斜視図である。
【図１２】従来のランドセルを背負った状態を示す説明図である。
【符号の説明】
【００２４】
１ 肩掛けベルト
２ ランドセル本体
３ 背当て部
４ 取付具
７ 連結体
【図１】
0003106687.tif 000003
【図２】
0003106687.tif 000004
【図３】
0003106687.tif 000005
【図４】
0003106687.tif 000006
【図５】
0003106687.tif 000007
【図６】
0003106687.tif 000008
【図７】
0003106687.tif 000009
【図８】
0003106687.tif 000010
【図９】
0003106687.tif 000011
【図１０】
0003106687.tif 000012
【図１１】
0003106687.tif 000013
【図１２】
0003106687.tif 000014